(57)【要約】【課題】  屈曲した構造物に取り付け可能であり、屈曲した複雑な空間にも収納可能な屈曲型通路内蔵台座を提供する。【解決手段】  平板状の上プレート７と平板状の下プレート８とを有し、上プレート７と下プレート８の接合面に、流体の通路及び配線の通路となる溝９が形成され、下プレート８に、この表面に配設される機器・部品１１と連通する連通孔１３が形成され、上プレート７と下プレート８とを接合することにより、機器・部品１１が連通孔１３を介して溝９に連通される通路内蔵台座３を複数組有し、連結される一方の通路内蔵台座３の側端面に、溝９に連通する貫通孔１２を設け、連結される他方の通路内蔵台座３の下プレート８の表面に、溝９に連通する他の貫通孔１２を設け、各通路内蔵台座３の貫通孔１２同士が連通するように、複数の通路内蔵台座３を屈曲形状に連結した屈曲型通路内蔵台座。【選択図】  図１
2006010030.tif 000002
【特許請求の範囲】
【請求項１】
平板状の第１プレートと平板状の第２プレートとを有し、
前記第１プレートと前記第２プレートの少なくとも一方の接合面に、流体の通路及び配線の通路となる溝が形成され、前記第１プレートと前記第２プレートの少なくとも一方のプレートに、該プレートの表面に配設される部品、機器と連通する連通孔が形成され、前記第１プレートと前記第２プレートとを接合することにより、前記部品、機器が前記連通孔を介して前記溝に連通される通路内蔵台座を複数組有し、
連結される一方の通路内蔵台座の側端面に、前記溝に連通する貫通孔を設け、連結される他方の通路内蔵台座の第１プレートの表面又は第２プレートの表面に、前記溝に連通する他の貫通孔を設け、
各通路内蔵台座の貫通孔同士が連通するように、各通路内蔵台座を屈曲形状に連結したことを特徴とする屈曲型通路内蔵台座。
【請求項２】
任意の屈曲形状に形成された第１プレートと前記第１プレートの接合面に倣うように形成された第２プレートとを有し、
前記第１プレートと前記第２プレートの少なくとも一方の接合面に、流体の通路及び配線の通路となる溝が形成され、前記第１プレートと前記第２プレートの少なくとも一方のプレートに、該プレートの表面に配設される前記部品、機器と連通する連通孔が形成され、前記第１プレートと前記第２プレートとを接合することにより、前記部品、機器が前記連通孔を介して前記溝に連通されることを特徴とする屈曲型通路内蔵台座。
【請求項３】
円弧状の第１プレートと前記第１プレートの外周面に倣うように形成された円弧状の第２プレートとを有し、
前記第１プレートと前記第２プレートの少なくとも一方の接合面に、流体の通路及び配線の通路となる溝が形成され、前記第１プレートと前記第２プレートの少なくとも一方のプレートに、該プレートの表面に配設される前記部品、機器と連通する連通孔が形成され、前記第１プレートと前記第２プレートとを接合することにより、前記部品、機器が前記連通孔を介して前記溝に連通されることを特徴とする屈曲型通路内蔵台座。
【請求項４】
円弧状の第１プレートと前記第１プレートの外周面に倣うように形成された円弧状の第２プレートとを有し、
前記第１プレートと前記第２プレートの少なくとも一方の接合面に、流体の通路及び配線の通路となる溝が形成され、前記第１プレートと前記第２プレートの少なくとも一方のプレートに、該プレートの表面に配設される前記部品、機器と連通する連通孔が形成され、前記第１プレートと前記第２プレートとを接合することにより、前記部品、機器が前記連通孔を介して前記溝に連通される通路内蔵台座を複数組有し、
連結される通路内蔵台座の側端面に、前記溝に連通する貫通孔を設け、
各通路内蔵台座の貫通孔同士が連通するように、各通路内蔵台座を円筒形状に連結したことを特徴とする屈曲型通路内蔵台座。
【請求項５】
円筒形状の第１プレートと前記第１プレートの内周側に挿入可能な円筒形状の第２プレートとを有し、
前記第１プレートと前記第２プレートの少なくとも一方の接合面に、流体の通路及び配線の通路となる溝が形成され、前記第１プレートと前記第２プレートの少なくとも一方のプレートに、該プレートの表面に配設される前記部品、機器と連通する連通孔が形成され、前記第１プレートと前記第２プレートとを接合することにより、前記部品、機器が前記連通孔を介して前記溝に連通されることを特徴とする屈曲型通路内蔵台座。
【発明の詳細な説明】
【技術分野】
【０００１】
本発明は、配管、配線等を装置内に組込んでコンパクトに一体化した固定式ユニットや組立輸送可能に一体化したユニットとするための通路内蔵台座に関し、例えば、屈曲した狭い空間に設置可能な屈曲型の通路内蔵台座に関する。
【背景技術】
【０００２】
近年、車載用燃料電池装置や流体制御装置等の他の産業分野において、配管、配線等を装置内に組込んでコンパクトに一体化した固定式ユニットや組立輸送可能に一体化したユニットとするために、通路内蔵台座が多く用いられるようになった。
【０００３】
図７に、従来の通路内蔵台座の概略の構成を示す。
通路内蔵台座５１は、平板からなる上プレート５２と下プレート５３とを、摩擦攪拌接合法等の適切な方法で接合し、上プレート５２上に配置された機器５５や部品５５’（図７においては、一点鎖線で図示）を、上プレート５２及び下プレート５３と共に、ボルト５９及びナット６０等で一体的に固定して構成されている。機器５５等の直下の上プレート５２の適切な位置には、連通孔５４が形成されており、下プレート５３の上面には、所定の断面積を有し、適切な長さと方向を有する溝５７が形成されており、連通孔５４と溝５７とが互いに連通するように配置されている。そして、これらの連通孔５４、溝５７により、上プレート５２上に配設された機器５５等が相互に連通されて、システム構成に必要な液体やガスが流動する配管通路や信号や電力を供給するための配線通路の機能を担うことになる。連通孔５４、溝５７の断面積は、流動する液体の性状、流速及び圧力損失等から決定され、その長さや方向等は、上プレート５２上に配置される機器５５等の構成部品の配置によって決定される。
【０００４】
上プレート５２及び下プレート５３の材質は、通常、移動用としての重量を低減し、かつ、溝５７の形成加工や接合作業の容易さから、アルミニウム板が最も多く使用され、又、場合によっては、鋼板や鋳造品が使用される場合もある。又、上プレート５２と下プレート５３の接合方法については、その接合部の強度及び信頼性等の面から、摩擦攪拌接合法がもっぱら採用されており、流体が比較的低温又は低圧で使用される場合には、熱硬化型接着剤又は常温硬化型接着剤等による接合法も採用される。
【０００５】
図７に示したような通路内蔵台座５１は、上プレート５２及び下プレート５３の内部に、複雑な配管や配線を全て収納できるので、コンパクトに一体化でき、運搬等にも便利なものであり、その活用分野は益々拡大している。
【特許文献１】特開２００２−３０５０１０号公報
【発明の開示】
【発明が解決しようとする課題】
【０００６】
しかしながら、例えば、図８に示すように、大型の構造物６１や装置６３等が配置されている間のスペースに、各々の部品・機器５５が取付けられ、さらに各々の部品・機器５５の配線・配管６５が複雑に連結されているような場合において、これらの部品・機器５５や配線・配管６５を通路内蔵台座を用いて、コンパクトに整理しようとすると、従来の平板型の通路内蔵台座では、その屈曲したスペースに収納することができず、スペース外にはみ出してしまうことになり、結局、通路内蔵台座を適用することができなかった。又、場合によっては、屈曲した構造物に通路内蔵台座を固定する必要があったが、通路内蔵台座とすることで部品、機器、配線、配管をコンパクトに整理しても、平板型であるため無駄な空間ができてしまい、取り付けスペースを有効に利用することができなかった。
【０００７】
本発明は上記課題に鑑みなされたもので、屈曲した構造物に取り付け可能であり、屈曲した複雑な空間にも収納可能な屈曲型通路内蔵台座を提供することを目的とする。
【課題を解決するための手段】
【０００８】
上記課題を解決する本発明に係る屈曲型通路内蔵台座は、
平板状の第１プレートと平板状の第２プレートとを有し、
前記第１プレートと前記第２プレートの少なくとも一方の接合面に、流体の通路及び配線の通路となる溝が形成され、前記第１プレートと前記第２プレートの少なくとも一方のプレートに、該プレートの表面に配設される部品、機器と連通する連通孔が形成され、前記第１プレートと前記第２プレートとを接合することにより、前記部品、機器が前記連通孔を介して前記溝に連通される通路内蔵台座を複数組有し、
連結される一方の通路内蔵台座の側端面に、前記溝に連通する貫通孔を設け、連結される他方の通路内蔵台座の第１プレートの表面又は第２プレートの表面に、前記溝に連通する他の貫通孔を設け、
各通路内蔵台座の貫通孔同士が連通するように、各通路内蔵台座を屈曲形状に連結したことを特徴とする。
例えば、システムの構成に必要な部品、機器及び配管、配線を、複数のブロックに分割し、各ブロック毎に通路内蔵台座を構成すると共に、設置スペースに適合するように、各通路内蔵台座を屈曲形状に連結して、屈曲型通路内蔵台座を構成する。又、各通路内蔵台座を連結する際、流体が流れる部分には、Ｏリング等のシール部材を介して、各通路内蔵台座の貫通孔同士を連通するようにする。
【０００９】
上記課題を解決する本発明に係る屈曲型通路内蔵台座は、
任意の屈曲形状に形成された第１プレートと前記第１プレートの接合面に倣うように形成された第２プレートとを有し、
前記第１プレートと前記第２プレートの少なくとも一方の接合面に、流体の通路及び配線の通路となる溝が形成され、前記第１プレートと前記第２プレートの少なくとも一方のプレートに、該プレートの表面に配設される前記部品、機器と連通する連通孔が形成され、前記第１プレートと前記第２プレートとを接合することにより、前記部品、機器が前記連通孔を介して前記溝に連通されることを特徴とする。
第１プレート、第２プレートは、例えば、プレス加工や鋳造により、一体的に任意の屈曲形状に形成され、互いの接合面が接合するように、互いの接合面に倣う形状とする。なお、ここでの屈曲形状は、湾曲形状も含むものとする。又、第１プレート、第２プレートは、複数の平面部分を有し、この平面部分に部品、機器の設置が可能である。
【００１０】
上記課題を解決する本発明に係る屈曲型通路内蔵台座は、
円弧状の第１プレートと前記第１プレートの外周面に倣うように形成された円弧状の第２プレートとを有し、
前記第１プレートと前記第２プレートの少なくとも一方の接合面に、流体の通路及び配線の通路となる溝が形成され、前記第１プレートと前記第２プレートの少なくとも一方のプレートに、該プレートの表面に配設される前記部品、機器と連通する連通孔が形成され、前記第１プレートと前記第２プレートとを接合することにより、前記部品、機器が前記連通孔を介して前記溝に連通されることを特徴とする。
【００１１】
上記課題を解決する本発明に係る屈曲型通路内蔵台座は、
円弧状の第１プレートと前記第１プレートの外周面に倣うように形成された円弧状の第２プレートとを有し、
前記第１プレートと前記第２プレートの少なくとも一方の接合面に、流体の通路及び配線の通路となる溝が形成され、前記第１プレートと前記第２プレートの少なくとも一方のプレートに、該プレートの表面に配設される前記部品、機器と連通する連通孔が形成され、前記第１プレートと前記第２プレートとを接合することにより、前記部品、機器が前記連通孔を介して前記溝に連通される通路内蔵台座を複数組有し、
連結される通路内蔵台座の側端面に、前記溝に連通する貫通孔を設け、
各通路内蔵台座の貫通孔同士が連通するように、各通路内蔵台座を円筒形状に連結したことを特徴とする。
なお、各通路内蔵台座を連結する際、流体が流れる部分には、Ｏリング等のシール部材を介して、各通路内蔵台座の貫通孔同士を連通するようにする。
【００１２】
上記課題を解決する本発明に係る屈曲型通路内蔵台座は、
円筒形状の第１プレートと前記第１プレートの内周側に挿入可能な円筒形状の第２プレートとを有し、
前記第１プレートと前記第２プレートの少なくとも一方の接合面に、流体の通路及び配線の通路となる溝が形成され、前記第１プレートと前記第２プレートの少なくとも一方のプレートに、該プレートの表面に配設される前記部品、機器と連通する連通孔が形成され、前記第１プレートと前記第２プレートとを接合することにより、前記部品、機器が前記連通孔を介して前記溝に連通されることを特徴とする。
【発明の効果】
【００１３】
本発明によれば、システムの設置スペースに適合するように、種々の形状の屈曲型通路内蔵台座を用いるので、流体制御装置等のシステムをコンパクトに一体化可能な通路内蔵台座を、設置の障害となる構造物や装置等を避けて設置することが可能となり、自由度の高い空間配置が可能となる。又、通路内蔵台座が設置可能であるため、システム自体を簡潔に構築することができ、メンテナンス性の向上を図ることも可能である。
【発明を実施するための最良の形態】
【００１４】
以下、図１〜図６を用いて、本発明に係る実施形態を説明する。
なお、図１〜図６において、同等の構成要素については同じ符号を用い、重複する説明は省略する。
【実施例１】
【００１５】
図１は、本発明に係る実施形態の一例である分割型の屈曲型通路内蔵台座を示す図であり、、図１（ａ）は、その平面図、図１（ｂ）は、図１（ａ）のＡ−Ａ線矢視断面図を示す。
【００１６】
分割型の屈曲型通路内蔵台座１は、システムを構成する部品、機器、配管、配線等を適切なブロックに分割し、各ブロックに該当する小型の平板状の通路内蔵台座３を複数組用いて、例えば、植込みボルト５等によって組立て、屈曲形状に連結して構成したものである。
【００１７】
各通路内蔵台座３の構成は、図７に示した通路内蔵台座５１と同等のものである。具体的には、平板状の上プレート７（第１プレート）と平板状の下プレート８（第２プレート）の少なくとも一方の接合面、本実施例の場合、下プレート８側の接合面に流体の通路及び配線の通路となる溝９が形成されている。又、上プレート７と下プレート８の少なくとも一方のプレートに、本実施例の場合、上プレート７に、上プレート７の表面に配設される部品・機器１１と連通する連通孔１３が形成されている。下プレート８に形成される溝９は、適切な長さと方向を有しており、上プレート７に形成される連通孔１３は、部品・機器１１の直下に設けられている。システム構成に必要な部品・機器１１は、上プレート７の表面上に適切な位置関係を保って配設されており、上プレート７と下プレート８とを摩擦撹拌溶接等により接合することで、部品・機器１１が連通孔１３を介して溝９と連通し、そして、部品・機器１１同士が溝９を介して相互に連通することとなる。
【００１８】
各通路内蔵台座３を屈曲形状に連結する際には、植込みボルト５を締め付けて、相互に固定を行う。又、各通路内蔵台座３を連結する際には、各連結部分は、図１（ｂ）に示すような構造により、各通路内蔵台座３の溝９同士が連通される。具体的には、連結される一方の通路内蔵台座３では、その側端面に、溝９に連通する貫通孔１２が形成されており、連結される他方の通路内蔵台座３では、その側端部において、上プレート７及び下プレート８の表面に、溝９に連通する他の貫通孔１２が形成されており、各通路内蔵台座３の貫通孔１２同士がＯリング１０等のシール部材を介して連通するようになっている。
【００１９】
本発明に係る屈曲型通路内蔵型台座１では、流体の通路及び配線の通路全てを、上プレート７、下プレート８の間に内蔵することが望ましく、例えば、図１に示す連結配管１５等を必要としないように、溝９や部品・機器１１の配置を適切に設計する。しかしながら、１つの通路内蔵台座３内や各通路内蔵台座３間の部品・機器１１同士に管路等が必要な場合には、連結配管１５を用いて、直接部品・機器１１同士を接続するようにしてもよい。又、必要に応じて、外部との配管接続又は外部との配線接続のため、配管継手１７を各部品・機器１１に取付けるようにしてもよい。
【００２０】
なお、本実施例の分割型の屈曲型通路内蔵型台座１では、図１（ｂ）に示すように、その断面形状がクランク上の屈曲形状に連結されているが、本発明は、この形状に限定されるものではなく、例えば、コ字状、三角形状に連結することも可能である。
【実施例２】
【００２１】
図２は、本発明に係る実施形態の他の一例である一体型の屈曲型通路内蔵台座を示す図であり、図２（ａ）は、その平面図、図２（ｂ）は、図２（ａ）のＢ−Ｂ線矢視断面図を示す。
【００２２】
一体型の屈曲型通路内蔵台座２１Ａは、上プレート２２Ａ（第１プレート）、下プレート２３Ａ（第２プレート）が、例えば、プレス加工や鋳造法により、任意の屈曲（湾曲）形状に一体的に形成されると共に、互いの接合面が接合するように、互いの接合面に倣うような形状に形成されている。本実施例では、上プレート２２Ａ、下プレート２３Ａの断面形状が、クランク状の屈曲形状に形成され、部品・機器１１を設置するための複数の平面部分を有するように構成されている。
【００２３】
下プレート２３Ａ側の接合面には、流体の通路及び配線の通路となる溝２５が形成されており、この溝２５は、下プレート２３Ａの屈曲部分にも形成されている。又、上プレート２２Ａに、上プレート２２Ａの表面に配設される部品・機器１１と連通する連通孔２７が形成されている。下プレート２３Ａに形成される溝２５は、適切な長さと方向を有しており、上プレート２２Ａに形成される連通孔２７は、部品・機器１１の直下に設けられている。システム構成に必要な部品・機器１１は、上プレート２２Ａの表面上に、適切な位置関係を保って配設されており、上プレート２２Ａと下プレート２３Ａとを接合することで、部品・機器１１が連通孔２７を介して溝２５と連通し、そして、部品・機器１１同士が溝２５を介して相互に連通することとなり、屈曲型通路内蔵台座２１Ａが有する異なる平面上の部品・機器１１同士も、互いに連通するように構成されている。上プレート２２Ａと下プレート２３Ａは、摩擦攪拌接合等の接合法により接合されており、屈曲部分の溝２５であっても、気水密性を損なうことなく、接合可能である。
【００２４】
なお、本実施例の屈曲型通路内蔵台座２１Ａを作製する際には、上プレート２２Ａ、下プレート２３Ａを、プレス加工等により任意の屈曲形状に一体的に形成すると共に溝２５の形成も同時に行い、その後、摩擦攪拌接合等の接合法により上プレート２２Ａ、下プレート２３Ａの接合を行う。又、平板状の上プレート、下プレートに溝を形成し、摩擦攪拌接合等の接合法により接合した後、プレス加工等により任意の屈曲形状に一体的に形成するようにしてもよい。
【００２５】
なお、本実施例の一体型の屈曲型通路内蔵台座２１Ａにおいても、流体の通路及び配線の通路全てを、上プレート２２Ａ、下プレート２３Ａの間に内蔵することが望ましいが、実施例１と同様に、必要に応じて、外部との配管接続又は外部との配線接続のため、配管継手１７を各部品・機器１１に取付けるようにしたり、更には、部品・機器１１同士に管路等が必要な場合には、連結配管等を用いて、部品・機器１１同士を直接接続するようにしてもよい。これは、後述する他の実施例でも同様である。
【実施例３】
【００２６】
図３は、本発明に係る実施形態の他の一例である一体型の屈曲型通路内蔵台座を示す図である。
【００２７】
図３に示す一体型の屈曲型通路内蔵台座２１Ｂは、実施例２の図２に示した一体型の屈曲型通路内蔵台座２１Ａの形状を異なる構成としたものである。従って、その構成は、図２の一体型の屈曲型通路内蔵台座２１Ａと同等であるため、ここでは、その詳細な説明は省略する。
【００２８】
屈曲型通路内蔵台座２１Ｂは、上プレート２２Ｂ（第１プレート）、下プレート２３Ｂ（第２プレート）が、プレス加工等により、任意の屈曲（湾曲）形状に一体的に形成されると共に、互いの接合面が接合するように、互いの接合面に倣うような形状に形成されたものであり、上プレート２２Ｂ、下プレート２３Ｂの断面形状が、すり鉢状の屈曲形状に形成され、複数の平面部分を有するように構成されている。そして、屈曲型通路内蔵台座２１Ｂが有する異なる平面上に設置された部品・機器１１同士が、溝２５、貫通孔２７により、互いに連通するように構成されている。
【００２９】
屈曲型通路内蔵台座２１Ｂでは、例えば、強度を保つため、屈曲の角度に制限があったりする場合に、緩やかな屈曲角度にて屈曲型通路内蔵台座２１Ｂの中間部分Ｃのような平面部を形成する。又、屈曲型通路内蔵台座２１Ｂの中間部分Ｃに、部品・機器１１を設置する十分なスペースが無かったり、強度を保つ上で部品・機器１１を設置できない場合には、単に、溝２５のみを配置するように構成してもよい。又、この中間部分Ｃの溝２５の容量を大きく取って、流体を貯留するためのタンクとなるように構成してもよい。
【実施例４】
【００３０】
図４は、本発明に係る実施形態の他の一例である円筒分割型の屈曲型通路内蔵台座を示す図である。
【００３１】
円筒分割型の屈曲型通路内蔵台座３０は、システムを構成する部品、機器、配管、配線等を適切なブロックに分割し、各ブロックに該当する小型の円弧状の通路内蔵台座３０ａを複数組用いて、接続具３３及びボルト３５によって組立て、円筒形状に連結して構成したものである。換言すれば、円筒分割型の屈曲型通路内蔵台座３０は、後述する図５の円筒一体型の屈曲型通路内蔵台座４０を軸方向に分割し、複数個の独立した円弧状の屈曲型通路内蔵台座３０ａとしたものである。なお、上プレート３１（第１プレート）、下プレート３２（第２プレート）は、プレス加工等により、互いの接合面が接合するように、互いの接合面に倣うような円弧形状に一体的に形成されたものである。
【００３２】
各屈曲型通路内蔵台座３０ａの内部構成は、例えば、実施例１で示した平板状の通路内蔵台座３と同様の構成である。具体的には、下プレート３２（第２プレート）側の接合面には、流体の通路及び配線の通路となる溝（図示せず）が形成されており、上プレート３１に、上プレート３１の表面に配設される部品・機器１１と連通する連通孔（図示せず）が形成されている。下プレート３２に形成される溝は、適切な長さと方向を有しており、上プレート３１に形成される連通孔は、部品・機器１１の直下に設けられている。システム構成に必要な部品・機器１１は、上プレート３１の表面上に適切な位置関係を保って配設されており、上プレート３１と下プレート３２とを接合することで、部品・機器１１同士が、連通孔、溝を介して相互に連通することとなる。
【００３３】
各通路内蔵台座３０ａを、接続具３３及びボルト３５により円筒形状に連結する際、各連結部分において、各通路内蔵台座３０ａの溝同士が連通されるように構成される。具体的には、連結される一方の通路内蔵台座３０ａでは、その側端面に、溝に連通する貫通孔３４が形成されており、連結される他方の通路内蔵台座３でも、その側端面に、溝に連通する貫通孔３４が形成されており、各通路内蔵台座３０ａの貫通孔３４同士がＯリング等のシール部材を介して連通するようになっている。
【００３４】
図４に示すように、複数個に分割可能な円筒分割型の屈曲型通路内蔵台座３０は、例えば、建物の円筒状の支柱３７等の構造物に取り付ける際に、接続具３３をボルト３５で相互に固定して取付ける。
【実施例５】
【００３５】
図４は、本発明に係る実施形態の他の一例である一体型の屈曲型通路内蔵台座を示す図である。図４（ａ）は、下プレートのみを示しており、図４（ｂ）は、下プレートと上プレートを接合した状態を示す。
【００３６】
なお、本実施例においては、単純な構成を示すため、モータ等の冷却に用いられるウォータジャケットを例に取り、その構成を示したが、上記実施例のように、上プレートの外周側、下プレートの内周側に、種々の部品・機器を配置し、通路を流れる流体を制御するように構成してもよい。
【００３７】
一体型の屈曲型通路内蔵台座４０は、円筒形状に形成された上プレート４１（第１プレート）と、上プレート４１の内周側に挿入可能な円筒形状の下プレート４２（第２プレート）とを有しており、これらは、円筒形状に一体的に形成されている。又、上プレート４１の内周及び下プレート４２の外周が接合面となり、互いに接合できるような大きさである。
【００３８】
下プレート４２の接合面となる外周面には、螺旋状に形成され、一本の流路となる溝４３が設けてあり、又、上プレート４１には、溝４３の端部に相当する部分に連通孔４４が設けてある。上プレート４１と下プレート４２とは、摩擦攪拌接合等の接合法により接合され、溝４３の部分の気水密性を損なうことなく、接合可能である。
【００３９】
なお、溝４３は、螺旋形状の場合だけでなく、例えば、冷却面積等を考慮して、複雑な形状の溝を互いに連通するように構成して、溝を流れる流体の接触面積ができるだけ広くなるように構成してもよい。
【実施例６】
【００４０】
図６は、大型構造物６１及び装置６３によって限定される狭い空間に、実施例１に示した分割型の屈曲型通路内蔵台座１を設置した例を示す図である。
【００４１】
図６に示すように、各部品・機器１１間の配管のほとんどは、通路内蔵台座３の内部に収納され、部品・機器１１間を連結する連結配管１５や大型構造物６１等の外部への配管１９のみが必要となる。図８と比較すると、配管等の構成が簡潔になり、システムがコンパクトに一体化されていることがわかる。又、特に図示しないが、図２に示した一体型の屈曲型通路内蔵台座２１Ａも、同様の設置することが可能である。
【００４２】
上記実施例１、４、６に示したように、分割型の屈曲型通路内蔵台座の採用により、複雑で狭い空間を有効に利用して、流体制御装置等のシステムがコンパクトに設置可能となると共に、複雑な配管や配線を整理することができ、組立作業や保守も大幅に容易にすることができる。又、分割して搬入後組立て可能なため、搬入口の狭い場所にも設置可能である。更に、図４に示した円筒分割型の屈曲型通路内蔵台座３０の場合は、均一に湾曲した通路内蔵台座３０ａを用いるので、垂直の円筒状の支柱３７や構造物にも密着して取付け可能で、省スペース化を図ることができる。
【００４３】
又、上記実施例２、３、５に示したように、一体型の屈曲型通路内蔵台座は、一体構造であるため、部品・機器１１間の必要とする配管等すべてを、上プレートと下プレートの接合面に溝として形成可能であるため、分割型の屈曲型通路内蔵台座の貫通孔ような接続構造が不要となり、又、各部品・機器１１間を連結する連結配管１５を不要とすることができる。
【００４４】
又、上記屈曲型通路内蔵台座において、上プレート、下プレートを樹脂材料で構成すれば、溝の加工や屈曲形状の成形等が容易になり、更に、樹脂材料を透明なものとすると、溝を流れる流体を視認することも可能となる。
【図面の簡単な説明】
【００４５】
【図１】本発明に係る実施形態の一例である分割型の屈曲型通路内蔵台座を示し、図１（ａ）は、その平面図であり、図１（ｂ）は、図１（ａ）のＡ−Ａ線矢視断面図である。
【図２】本発明に係る実施形態の他の一例である一体型の屈曲型通路内蔵台座を示し、図２（ａ）は、その平面図であり、図２（ｂ）は、図２（ａ）のＢ−Ｂ線矢視断面図である。
【図３】本発明に係る実施形態の他の一例である一体型の屈曲型通路内蔵台座の断面図である。
【図４】本発明に係る実施形態の他の一例である円筒分割型の屈曲型通路内蔵台座の斜視図である。
【図５】本発明に係る実施形態の他の一例である円筒一体型の屈曲型通路内蔵台座の斜視図である。
【図６】図１に示した分割型の屈曲型通路内蔵台座の取付状態を示す図である。
【図７】従来の通路内蔵台座の概略の構成図である。
【図８】大型構造物や装置の間のスペースに設置された従来の流体制御装置の構成を示す図である。
【符号の説明】
【００４６】
１  分割型の屈曲型通路内蔵台座
３  通路内蔵台座
５  植込みボルト
７  上プレート
８  下プレート
９  溝
１０  Ｏリング
１１  部品・機器
１２  貫通孔
１３  連通孔
１５  連結配管
１７  配管継手
１９  配管
２１Ａ、２１Ｂ  一体型の屈曲型通路内蔵台座
２２Ａ、２２Ｂ  上プレート
２３Ａ、２３Ｂ  下プレート
２５  溝
２７  連通孔
３０  円筒分割型の屈曲型通路内蔵台座
３０ａ  通路内蔵台座
３１  上プレート
３２  下プレート
３３  接続具
３４  貫通孔
３５  ボルト
３７  支柱
４０  円筒一体型の屈曲型通路内蔵台座
４１  上プレート
４２  下プレート
４３  溝
４４  連通孔
５１  通路内蔵台座
５２  上プレート
５３  下プレート
５４  連通孔
５５、５５’  部品・機器
５７  溝
５９  ボルト
６０  ナット
６１  構造物
６３  装置
６５  配管
【図１】
2006010030.tif 000003
【図２】
2006010030.tif 000004
【図３】
2006010030.tif 000005
【図４】
2006010030.tif 000006
【図５】
2006010030.tif 000007
【図６】
2006010030.tif 000008
【図７】
2006010030.tif 000009
【図８】
2006010030.tif 000010